(57)【要約】      （修正有）【課題】ヘルメットの着用時、非着用時およびヘルメットの内装・ライナーの厚みの大小にかかわらず、顔面への良好なフィット感が得られるゴーグルを提供する。【解決手段】レンズフレーム１の左右部１ａ、１ｂにおける前面１ｃ側に、それぞれ装着ベルト２の連結アーム３を取り付け、これら連結アーム３のそれぞれが、レンズフレーム１の前面１ｃに重なって停止する状態と、レンズフレーム１の前面１ｃ側から内端部３ｂ側を中心としてレンズフレーム１外方に回動して隙間Ｓを有して停止する状態とに維持するようにしている。【選択図】図２
2008200265.tif 000002
【特許請求の範囲】
【請求項１】
レンズフレーム（１）の左右部（１ａ、１ｂ）における前面（１ｃ）側に、それぞれ装着ベルト（２）の連結アーム（３）を取り付け、これら連結アーム（３）のそれぞれが、レンズフレーム（１）の前面（１ｃ）に重なって停止する状態と、レンズフレーム（１）の前面（１ｃ）側から内端部（３ｂ）側を中心としてレンズフレーム（１）外方に回動して隙間（Ｓ）を有して停止する状態とに維持するようにしたことを特徴とするゴーグル。
【請求項２】
レンズフレーム（１）の左右部（１ａ、１ｂ）の前面（１ｃ）側における上下部（１ｅ、１ｆ）に、それぞれ軸穴（１１ａ）、係止穴（１１ｂ）および当て部（１１ｃ）を設け、連結アーム（３）の内端部（３ｂ）に支軸部（１２ａ）、係止部（１２ｂ）および当たり（１２ｃ）を設け、連結アーム（３）の支軸部（１２ａ）が前記レンズフレーム（１）の軸穴（１１ａ）に軸支されると共に、連結アーム（３）の係止部（１２ｂ）が前記レンズフレーム（１）の係止穴（１１ｂ）に係止されるようにして、連結アーム（３）のそれぞれが、レンズフレーム（１）の前面（１ｃ）に重なって停止する状態に維持するようにしたことを特徴とする請求項１記載のゴーグル。
【請求項３】
レンズフレーム（１）の左右部（１ａ、１ｂ）の前面（１ｃ）側における上下部（１ｅ、１ｆ）に、それぞれ軸穴（１１ａ）、係止穴（１１ｂ）および当て部（１１ｃ）を設け、連結アーム（３）の内端部（３ｂ）に支軸部（１２ａ）、係止部（１２ｂ）および当たり（１２ｃ）を設け、連結アーム（３）の支軸部（１２ａ）が前記レンズフレーム（１）の軸穴（１１ａ）に軸支されると共に、連結アーム（３）の係止部（１２ｂ）がレンズフレーム（１）の前面（１ｃ）に係止され、さらに連結アーム（３）の当たり（１２ｃ）が前記レンズフレーム（１）の当て部（１１ｃ）に当たって位置決めされるようにして、連結アーム（３）のそれぞれが、レンズフレーム（１）の前面（１ｃ）側から内端部（３ｂ）側を中心としてレンズフレーム（１）外方に回動して隙間（Ｓ）を有して停止する状態に維持するようにしたことを特徴とする請求項１記載のゴーグル。
【請求項４】
レンズフレーム（１）の左右部（１ａ、１ｂ）の前面（１ｃ）側における上下部（１ｅ、１ｆ）に、それぞれ支軸部（１１ｄ）、係止穴（１１ｂ）および当て部（１１ｃ）を設け、連結アーム（３）の内端部（３ｂ）に軸穴（１２ｄ）、係止部（１２ｂ）および当たり（１２ｃ）を設け、連結アーム（３）の軸穴（１２ｄ）が前記レンズフレーム（１）の支軸部（１１ｄ）に軸支されると共に、連結アーム（３）の係止部（１２ｂ）が前記レンズフレーム（１）の係止穴（１１ｂ）に係止されるようにして、連結アーム（３）のそれぞれが、レンズフレーム（１）の前面（１ｃ）に重なって停止する状態に維持され、連結アーム（３）の軸穴（１２ｄ）が前記レンズフレーム（１）の支軸部（１１ｄ）に軸支されると共に、連結アーム（３）の係止部（１２ｂ）がレンズフレーム（１）の前面（１ｃ）に係止され、さらに連結アーム（３）の当たり（１２ｃ）が前記レンズフレーム（１）の当て部（１１ｃ）に当たって位置決めされるようにして、連結アーム（３）のそれぞれが、レンズフレーム（１）の前面（１ｃ）側から内端部（３ｂ）側を中心としてレンズフレーム（１）外方に回動して隙間（Ｓ）を有して停止する状態に維持するようにしたことを特徴とするゴーグル。
【請求項５】
レンズフレーム（１）の軸穴（１１ａ）がこのレンズフレーム（１）を貫通したものとし、連結アーム（３）の支軸部（１２ａ）の下端に、前記軸穴（１１ａ）との抜止め部（１３）を設けたことを特徴とする請求項２または３記載のゴーグル。
【請求項６】
連結アーム（３）の軸穴（１２ｄ）がこの連結アーム（３）を貫通したものとし、レンズフレーム（１）の支軸部（１１ｄ）の上端に、前記軸穴（１２ｄ）との抜止め部（１４）を設けたことを特徴とする請求項４記載のゴーグル。
【請求項７】
レンズフレーム（１）の軸穴（１１ａ）と係合穴（１１ｂ）が、レンズフレーム（１）の左右部（１ａ、１ｂ）の上下部（１ｅ、１ｆ）に形成され、連結アーム（３）の内端部（３ｂ）が嵌め込まれるようにした溝部（１０）に設けられていることを特徴とする請求項２または３記載のゴーグル。
【請求項８】
レンズフレーム（１）の支軸部（１１ｄ）と係合穴（１１ｂ）が、レンズフレーム（１）の左右部（１ａ、１ｂ）の上下部（１ｅ、１ｆ）に形成され、連結アーム（３）の内端部（３ｂ）が嵌め込まれるようにした溝部（１０）に設けられていることを特徴とする請求項４記載のゴーグル。
【請求項９】
連結アーム（３）がそれぞれレンズフレーム（１）の左右部（１ａ、１ｂ）から食み出したものであることを特徴とする請求項１〜８のいずれかに記載のゴーグル。
【請求項１０】
連結アーム（３）のそれぞれが、レンズフレーム（１）の前面（１ｃ）側から内端部（３ｂ）側を中心としてレンズフレーム（１）外方に回動する回動角が、１５〜２２度の範囲にあることを特徴とする請求項１〜９のいずれかに記載のゴーグル。
【請求項１１】
レンズフレーム（１）の材質が軟質の弾性合成樹脂からなり、連結アーム（３）の材質が硬質の弾性合成樹脂からなることを特徴とする請求項１〜１０のいずれかに記載のゴーグル。
【発明の詳細な説明】
【技術分野】
【０００１】
この発明は、ヘルメットを着用しているとき、またはヘルメットを着用していないときのいずれにおいても使用することのできるゴーグルに関するものである。
【背景技術】
【０００２】
スキー競技、その他ヘルメットを着用するスポーツや、電気工事、土木工事、その他ヘルメットを着用する作業には、ヘルメットの上からゴーグルを着用する場合がある。スキー競技においては、主としてその競技の滑走速度の違いによりヘルメットを着用したり、着用しなかったりする。
【０００３】
従来、ヘルメットの上から着用するゴーグルに関しては、直接頭部に着用するゴーグルとは異なる設計が必要とされる。これは、ヘルメットを着用した場合、内装やシェルの厚みによりゴーグルに加わる装着ベルトの作用方向に変化が生じ、結果としてゴーグルの顔面へのフィット感を損ね、ゴーグル内への風雪の侵入を誘発する場合があるからである。
【０００４】
従来のヘルメットに対応した設計のゴーグルは、図１２に示すように、レンズフレーム２１が正面視で左右に大きく、厚みも大きい傾向が見られる。これはヘルメットの厚みに対応したフレーム設計のためであるが、厚みが大きいことからこのゴーグルを直接頭部に着用した場合、ヘルメットに対応していない設計の一般のゴーグルより、顔面へのフィット感は劣るものとなる。図１２中、符号２２は装着ベルト、符号Ｒは内装・ライナー、符号Ｍは人頭を示す。
【０００５】
また、従来のヘルメットに対応していない設計の一般のゴーグルでは、ヘルメットの上から着用すると、装着ベルト２２の張力によりゴーグルに顔面から浮き上がろうとする力が生じやすい。これはレンズフレーム２１の左右部の厚みが小さいため装着ベルト２２の結合位置がヘルメット表面と顔面との間にくるからである。なお、ゴーグルの中には、図１３に示すように、別パーツＰを介して装着ベルト２２とレンズフレーム２１の結合位置をヘルメット表面に近くしているものもあるが、装着ベルト２２の作用方向に大きな変化はなく、効果が小さいのが現状である。
【０００６】
以上のことから、ゴーグルの顔面へのフィット感や機能が直接成績にかかわるシビアな競技では、競技者は複数種目に出場する場合、その競技種目に応じたヘルメットに対応するゴーグルを準備しなければならない。
【０００７】
なお、上述したものはスキー用ゴーグルについてであるが、モトクロス用ゴーグル、その他のスポーツ用ゴーグル、作業用ゴーグル等についても顔面への良好なフィット感が要求されることから、同様の課題を有している。
【０００８】
そこで、従来、ヘルメットの着用時、非着用時およびヘルメットの内装・ライナーの厚みの大小にかかわらず、顔面への良好なフィット感が得られるゴーグルが提供されるに到っている。
【０００９】
このようなゴーグルは、図１４に示すように、レンズフレーム２１の上下部のそれぞれ左右部分にある突出位置から、レンズフレーム２１と一体成形で突出する軟質の弾性合成樹脂からなるアーム２３を設けたものとしている。さらに、このアーム２３は、前記突出位置から離れたベルト取り付け位置近傍に終端を有し、この終端近傍においてベルト取付部２４を介して伸縮弾性ベルト２５に接続している。そして、前記アーム２３が、弾性変形して、レンズフレーム２１の前面の少なくとも一部に重なるか、その前面の前方にあって前面にほぼ添うようにされている（特許文献１）。
【００１０】
このように構成されたゴーグルは、図１５に示すように、薄い内装・ライナーＲを有するヘルメットの上から着用した場合、伸縮弾性ベルト２５の弾性復帰力はゴーグルの顔面への圧力に変換されているので、ゴーグルが顔面から浮き上がるような力は作用しないとしている。さらに、このゴーグルは、図１６に示すように、厚い内装・ライナーＲを有するヘルメットの上から着用した場合にも、同様にゴーグルが顔面から浮き上がるような力は作用しないとしている。また、このゴーグルは、図１７に示すように、直接人頭Ｍに着用した場合にも、伸縮弾性ベルト２５の弾性復帰力によりレンズフレーム２１の前面とアーム２３の内面とが接近または接触し、顔面へ圧力が加わるので、ゴーグルが顔面から浮き上がるような力は作用しないとしている。
【特許文献１】特開平１０−２２９９９８号公報（第２頁、図１、５、７、８）
【発明の開示】
【発明が解決しようとする課題】
【００１１】
しかしながら、上記従来のゴーグルでは、図１６に示したように、厚い内装・ライナーＲを有するヘルメットに使用した場合には、アーム２３がレンズフレーム２１側に弾性変形して、この厚い内装・ライナーＲの開口端２６にアーム２３の外端部２３ａが当たるときがある。このようなとき、アーム２３が内装・ライナーＲに跳ね返されて、ゴーグルが顔面から浮き上がるような力が作用する場合があり、顔面への良好なフィット感が得られないことがある。
【００１２】
そこで、この発明は、上記従来の問題点を解決することをその課題としており、ヘルメットの着用時、非着用時およびヘルメットの内装・ライナーの厚みの大小にかかわらず、顔面への良好なフィット感が得られるゴーグルを提供することを目的としてなされたものである。
【課題を解決するための手段】
【００１３】
そのため、この発明のゴーグルは、レンズフレーム１の左右部１ａ、１ｂにおける前面１ｃ側に、それぞれ装着ベルト２の連結アーム３を取り付け、これら連結アーム３のそれぞれが、レンズフレーム１の前面１ｃに重なって停止する状態と、レンズフレーム１の前面１ｃ側から内端部３ｂ側を中心としてレンズフレーム１外方に回動して隙間Ｓを有して停止する状態とに維持するようにしている。
【００１４】
そして、この発明のゴーグルは、レンズフレーム１の左右部１ａ、１ｂの前面１ｃ側における上下部１ｅ、１ｆに、それぞれ軸穴１１ａ、係止穴１１ｂおよび当て部１１ｃを設け、連結アーム３の内端部３ｂに支軸部１２ａ、係止部１２ｂおよび当たり１２ｃを設け、連結アーム３の支軸部１２ａが前記レンズフレーム１の軸穴１１ａに軸支されると共に、連結アーム３の係止部１２ｂが前記レンズフレーム１の係止穴１１ｂに係止されるようにして、連結アーム３のそれぞれが、レンズフレーム１の前面１ｃに重なって停止する状態に維持するようにしている。
【００１５】
さらに、この発明のゴーグルは、レンズフレーム１の左右部１ａ、１ｂの前面１ｃ側における上下部１ｅ、１ｆに、それぞれ軸穴１１ａ、係止穴１１ｂおよび当て部１１ｃを設け、連結アーム３の内端部３ｂに支軸部１２ａ、係止部１２ｂおよび当たり１２ｃを設け、連結アーム３の支軸部１２ａが前記レンズフレーム１の軸穴１１ａに軸支されると共に、連結アーム３の係止部１２ｂがレンズフレーム１の前面１ｃに係止され、さらに連結アーム３の当たり１２ｃが前記レンズフレーム１の当て部１１ｃに当たって位置決めされるようにして、連結アーム３のそれぞれが、レンズフレーム１の前面１ｃ側から内端部３ｂ側を中心としてレンズフレーム１外方に回動して隙間Ｓを有して停止する状態に維持するようにしている。
【００１６】
また、この発明のゴーグルは、レンズフレーム１の左右部１ａ、１ｂの前面１ｃ側における上下部１ｅ、１ｆに、それぞれ支軸部１１ｄ、係止穴１１ｂおよび当て部１１ｃを設け、連結アーム３の内端部３ｂに軸穴１２ｄ、係止部１２ｂおよび当たり１２ｃを設け、連結アーム３の軸穴１２ｄが前記レンズフレーム１の支軸部１１ｄに軸支されると共に、連結アーム３の係止部１２ｂが前記レンズフレーム１の係止穴１１ｂに係止されるようにして、連結アーム３のそれぞれが、レンズフレーム１の前面１ｃに重なって停止する状態に維持され、連結アーム３の軸穴１２ｄが前記レンズフレーム１の支軸部１１ｄに軸支されると共に、連結アーム３の係止部１２ｂがレンズフレーム１の前面１ｃに係止され、さらに連結アーム３の当たり１２ｃが前記レンズフレーム１の当て部１１ｃに当たって位置決めされるようにして、連結アーム３のそれぞれが、レンズフレーム１の前面１ｃ側から内端部３ｂ側を中心としてレンズフレーム１外方に回動して隙間Ｓを有して停止する状態に維持するようにしている。
【００１７】
さらに、この発明のゴーグルは、レンズフレーム１の軸穴１１ａがこのレンズフレーム１を貫通したものとし、連結アーム３の支軸部１２ａの下端に、前記軸穴１１ａとの抜止め部１３を設けている。
【００１８】
また、この発明のゴーグルは、連結アーム３の軸穴１２ｄがこの連結アーム３を貫通したものとし、レンズフレーム１の支軸部１１ｄの上端に、前記軸穴１２ｄとの抜止め部１４を設けている。
【００１９】
さらに、この発明のゴーグルは、レンズフレーム１の軸穴１１ａと係合穴１１ｂが、レンズフレーム１の左右部１ａ、１ｂの上下部１ｅ、１ｆに形成され、連結アーム３の内端部３ｂが嵌め込まれるようにした溝部１０に設けられている。
【００２０】
また、この発明のゴーグルは、レンズフレーム１の支軸部１１ｄと係合穴１１ｂが、レンズフレーム１の左右部１ａ、１ｂの上下部１ｅ、１ｆに形成され、連結アーム３の内端部３ｂが嵌め込まれるようにした溝部１０に設けられている。
【００２１】
さらに、この発明のゴーグルは、連結アーム３がそれぞれレンズフレーム１の左右部１ａ、１ｂから食み出したものにしている。
【００２２】
また、この発明のゴーグルは、連結アーム３のそれぞれが、レンズフレーム１の前面１ｃ側から内端部３ｂ側を中心としてレンズフレーム１外方に回動する回動角が、１５〜２２度の範囲にあるものとしている。
【００２３】
さらに、この発明のゴーグルは、レンズフレーム１の材質が軟質の弾性合成樹脂からなり、連結アーム３の材質が硬質の弾性合成樹脂からなるものとしている。
【発明の効果】
【００２４】
この発明のゴーグルは、以上に述べたように構成されているため、ヘルメットの着用時、非着用時およびヘルメットの内装・ライナーの厚みの大小にかかわらず、顔面への良好なフィット感が得られるものとなる。
【発明を実施するための最良の形態】
【００２５】
以下、この発明のゴーグルを実施するための最良の形態について、図面に基づき詳細に説明する。
【００２６】
図１〜７は、この発明のゴーグルの一実施形態を示しており、レンズフレーム１の左右部１ａ、１ｂにおける前面１ｃ側に、それぞれ装着ベルト２の連結アーム３を着脱自在として取り付けたものとしている。
【００２７】
レンズフレーム１は、アクリル樹脂板等からなるレンズ４を着脱自在として、または固定式に装着しており、このレンズ４が曇らないように上部他、適宜個所にベンチレーション部５を設けたものとしている。さらに、レンズフレーム１は、材質をウレタン系樹脂等の軟質の弾性合成樹脂からなるものとしている。そして、レンズフレーム１は、後面１ｄ側（顔面に接触する側）にスポンジパット６を設けたものとしている。なお、ベンチレーション部５は、雪やゴミ等がゴーグル内部に侵入しないようにメッシュ地に撥水加工した生地７等で被ったものとしている。
【００２８】
装着ベルト２は、ベルト中央にバックル８を介して留め外し自在とし、ベルト両端部を連結アーム３の外端部３ａにそれぞれ連結したものとしている。さらに、このベルト両端部の近辺に長さ調節具９を取り付けたものとしている。なお、装着ベルト２は、伸縮弾性ベルトとするのが好ましいが、伸縮しないものであってもよい。
【００２９】
連結アーム３は、レンズフレーム１の左右部１ａ、１ｂの形態に対応した形状とするのが好ましく、図示したものではその形態に対応した略コの字状にしたものとし、上下を連結して一体としたものとしているが、上下を切り離して別体としたものとしてもよい。すなわち、連結アーム３は、レンズフレーム１の左右部１ａ、１ｂにおける前面１ｃ側に取り付けることができ、装着ベルト２を連結することができれば、任意の形状とすることができる。さらに、連結アーム３は、材質をＡＢＳ系樹脂等の硬質の弾性合成樹脂からなるものとし、容易に曲げ変形しないものとしている。そして、連結アーム３は、それぞれが図５に示したように、レンズフレーム１の前面１ｃに重なって停止する状態と、図７に示したように、レンズフレーム１の前面１ｃ側から内端部３ｂ側を中心としてレンズフレーム１外方に回動して隙間Ｓを有して停止する状態とに維持するようにしている。なお、連結アーム３を図５に示した状態から図７に示した状態にするには、レンズフレーム１から連結アーム３を取り外して行うが、レンズフレーム１が軟質の弾性合成樹脂からなるので、このレンズフレーム１を弾性変形させることにより、連結アーム３を取り外すことができる。
【００３０】
そこで、この発明のゴーグルは、連結アーム３のそれぞれをレンズフレーム１の前面１ｃに重なって停止する状態に維持するには、図４、５に示したように、前記レンズフレーム１の左右部１ａ、１ｂの前面１ｃ側における上下部１ｅ、１ｆに、それぞれ軸穴１１ａ、係止穴１１ｂおよび当て部１１ｃを設け、連結アーム３の内端部３ｂに前記軸穴１１ａへの支軸部１２ａ、前記係止穴１１ｂへの係止部１２ｂおよび前記当て部１１ｃへの当たり１２ｃを設けたものとしておく。そして、図５に示したように、連結アーム３の支軸部１２ａが前記レンズフレーム１の軸穴１１ａに軸支されると共に、連結アーム３の係止部１２ｂが前記レンズフレーム１の係止穴１１ｂに係止されるようにすればよい。
【００３１】
さらに、この発明のゴーグルは、連結アーム３のそれぞれをレンズフレーム１の前面１ｃ側から内端部３ｂ側を中心としてレンズフレーム１外方に回動して隙間Ｓを有して停止する状態に維持するには、図６、７に示したように、連結アーム３の支軸部１２ａが前記レンズフレーム１の軸穴１１ａに軸支されると共に、連結アーム３の係止部１２ｂがレンズフレーム１の前面１ｃに係止され、さらに連結アーム３の当たり１２ｃが前記レンズフレーム１の当て部１１ｃに当たって位置決めされるようにすればよい。
【００３２】
なお、前記レンズフレーム１の軸穴１１ａは、このレンズフレーム１を貫通したものとし、連結アーム３の支軸部１２ａの下端には、前記軸穴１１ａとの抜止め部１３を設けている。このようにすれば、レンズフレーム１から連結アーム３が外れ難いものとなり、レンズフレーム１に連結アーム３が安定した状態で取り付けられることになる。また、前記レンズフレーム１の当て部１１ｃは凸部とし、連結アーム３の当たり１２ｃは凹部としているが、これを逆にすることもできる。
【００３３】
さらに、前記レンズフレーム１の軸穴１１ａと係合穴１１ｂは、レンズフレーム１の左右部１ａ、１ｂの上下部１ｅ、１ｆに形成され、連結アーム３の内端部３ｂが嵌め込まれるようにした溝部１０に設けられている。このようにすると、前記レンズフレーム１の左右部１ａ、１ｂの上下部１ｅ、１ｆから連結アーム３が出っ張ることなく、上下部１ｅ、１ｆに添ったものとなるので、邪魔になることもなく、空気抵抗も少なくなるので、作業用のゴーグルとしても、スポーツ用のゴーグルとしても好ましいものとなる。
【００３４】
また、この発明のゴーグルは、連結アーム３のそれぞれをレンズフレーム１の前面１ｃに重なって停止する状態に維持するには、図８に示したように、前記レンズフレーム１の左右部１ａ、１ｂの前面１ｃ側における上下部１ｅ、１ｆに、それぞれ支軸部１１ｄ、係止穴１１ｂおよび当て部１１ｃを設け、連結アーム３の内端部３ｃに前記支軸部１１ｄへの軸穴１２ｄ、前記係止穴１１ｂへの係止部１２ｂおよび前記当て部１１ｃへの当たり１２ｃを設けたものとしておく。そして、連結アーム３の軸穴１２ｄが前記レンズフレーム１の支軸部１１ｄに軸支されると共に、連結アーム３の係止部１２ｂが前記レンズフレーム１の係止穴１１ｂに係止されるようにすればよい。
【００３５】
さらに、この発明のゴーグルでは、連結アーム３のそれぞれをレンズフレーム１の前面１ｃ側から内端部３ｂ側を中心としてレンズフレーム１外方に回動して隙間Ｓを有して停止する状態に維持するには、図９に示したように、連結アーム３の軸穴１２ｄが前記レンズフレーム１の支軸部１１ｄに軸支されると共に、連結アーム３の係止部１２ｂがレンズフレーム１の前面１ｃに係止され、さらに連結アーム３の当たり１２ｃが前記レンズフレーム１の当て部１１ｃに当たって位置決めされるようにすればよい。
【００３６】
なお、前記連結アーム３の軸穴１１ｄは、この連結アーム３を貫通したものとし、レンズフレーム１の支軸部１１ｄの上端には、前記軸穴１２ｄとの抜止め部１４を設けている。このようにすれば、レンズフレーム１から連結アーム３が外れ難いものとなり、レンズフレーム１に連結アーム３が安定した状態で取り付けられることになる。また、前記したように、レンズフレーム１の当て部１１ｃは凸部とし、連結アーム３の当たり１２ｃは凹部としているが、これを逆にすることもできる。
【００３７】
さらに、前記レンズフレーム１の支軸部１１ｄと係合穴１１ｂは、レンズフレーム１の左右部１ａ、１ｂの上下部１ｅ、１ｆに形成され、連結アーム３の内端部３ｂが嵌め込まれるようにした溝部１０に設けられている。このようにすると、前記したように、レンズフレーム１の左右部１ａ、１ｂの上下部１ｅ、１ｆから、連結アーム３が出っ張ることなく、上下部１ｅ、１ｆに添ったものとなるので、邪魔になることもなく、空気抵抗も少なくなるので、作業用のゴーグルとしても、スポーツ用のゴーグルとしても好ましいものとなる。
【００３８】
また、この発明のゴーグルは、連結アーム３の外端部３ａがそれぞれレンズフレーム１の左右部１ａ、１ｂから食み出したものにしている。このようにすると、連結アーム３の外端部３ａに連結したベルト端部が、レンズフレーム１に当たって浮き上がるようなこともないので、連結アーム３がレンズフレーム１の前面１ｃから浮き上がらず重なった状態に維持できる。
【００３９】
さらに、この発明のゴーグルは、連結アーム３のそれぞれが、レンズフレーム１の前面１ｃ側から内端部３ｂ側を中心としてレンズフレーム１外方に回動する回動角が、１５〜２２度の範囲にあるものとしている。前記回動角が１５度よりも小さいと、ヘルメットの内装・ライナーＲが厚い場合には、連結アーム３の外端部３ａがその内装・ライナーＲの開口端１４に当たってしまうことがあるので好ましくない。また、前記回動角が２２度よりも大きいと、連結アーム３の外端部３ａがゴーグル着用者の視野内に入り、視野が妨げられるので好ましくない。
【００４０】
また、この発明のゴーグルは、前記連結アーム３のそれぞれの回動中心を、レンズフレーム１を長さ方向に略三等分した位置にすれば、この連結アーム３を装着ベルト２で引っ張る力がフレーム全体にバランス良くかかり、安定したフィット感が得られるものになる。
【００４１】
なお、この発明のゴーグルは、前記回動角内で連結アーム３の回動角を多段階に調節するものにすることもできる。このようにするには、前記レンズフレーム１の左右部１ａ、１ｂの前面１ｃ側における上下部１ｅ、１ｆに設けた係止穴１１ｂを、その部分に複数個設けることなどによって達成することができる。
【００４２】
この発明のゴーグルは、以上に述べたように構成されているため、図１０に示したように、直接人頭Ｍに着用する場合には、連結アーム３のそれぞれがレンズフレーム１の前面１ｃに重なって停止する状態に維持するようにすれば、連結アーム３が装着ベルト２に引っ張られてゴーグルが顔面から浮き上がるような力が作用することなく、顔面への良好なフィット感が得られるものになる。
【００４３】
また、図１１に示したように、厚い内装・ライナーＲを有するヘルメットの上から着用する場合には、連結アーム３のそれぞれをレンズフレーム１の前面１ｃ側から内端部３ｂ側を中心としてレンズフレーム１外方に回動して隙間Ｓを有して停止する状態に維持するようにすれば、この厚い内装・ライナーＲの開口端１４に連結アーム３の外端３ａが当たることもなく、連結アーム３が装着ベルト２に引っ張られてゴーグルが顔面から浮き上がるような力が作用することなく、顔面への良好なフィット感が得られるものになる。
【００４４】
したがって、この発明のゴーグルは、ヘルメットの着用時、非着用時およびヘルメットの内装・ライナーの厚みの大小にかかわらず、顔面への良好なフィット感が得られるものになる。
【００４５】
さらに、この発明のゴーグルは、以上に述べたように構成されているため、ゴーグルの製造者においては、前記連結アーム３のそれぞれがレンズフレーム１の前面１ｃに重なって停止する状態に維持するようにした場合は、ヘルメットの非着用時用の商品とすることができ、また前記連結アーム３のそれぞれをレンズフレーム１の前面１ｃ側から内端部３ａ側を中心としてレンズフレーム１外方に回動して隙間Ｓを有して停止する状態に維持するようにした場合は、ヘルメットの着用時用の商品とすることができる。
【００４６】
したがって、この発明のゴーグルは、製造者においては、一つのタイプのゴーグルを製造することで、ヘルメットの非着用時用、ヘルメットの着用時用、二つのタイプの商品とすることができ、開発コストや生産コストの低減をはかることができるものになる。
【図面の簡単な説明】
【００４７】
【図１】この発明のゴーグルの一実施形態を示しており、連結アームがレンズフレームの前面に重なって停止している状態の全体斜視図である。
【図２】この発明のゴーグルの連結アームをレンズフレームの前面側から内端部側を中心としてレンズフレーム外方に回動して隙間を有して停止している状態の底面図である。
【図３】この発明のゴーグルのレンズフレ−ムの上端部の部分拡大図である。
【図４】この発明のゴーグルの連結アームがレンズフレームの前面に重なって停止する状態にするときの両者の取り付け方を示す説明図である。
【図５】この発明のゴーグルの連結アームがレンズフレームの前面に重なって停止している状態の平面図である。
【図６】この発明のゴーグルの連結アームをレンズフレームの前面側から内端部側を中心としてレンズフレーム外方に回動して隙間を有して停止する状態にするときの両者の取り付け方を示す説明図である。
【図７】この発明のゴーグルの連結アームをレンズフレームの前面側から内端部側を中心としてレンズフレーム外方に回動して隙間を有して停止している状態の平面図である。
【図８】この発明のゴーグルの他の実施形態の連結アームがレンズフレームの前面に重なって停止する状態にするときの両者の取り付け方を示す説明図である。
【図９】この発明のゴーグルの他の実施形態の連結アームをレンズフレームの前面側から内端部側を中心としてレンズフレーム外方に回動して隙間を有して停止する状態にするときの両者の取り付け方を示す説明図である。
【図１０】この発明のゴーグルの連結アームがレンズフレームの前面に重なって停止する状態に維持して、直接人頭に着用した状態の説明図である。
【図１１】この発明のゴーグルの連結アームをレンズフレームの前面側から内端部側を中心としてレンズフレーム外方に回動して隙間を有して停止している状態に維持して、厚い内装・ライナーを有したヘルメットの上から着用した状態の説明図である。
【図１２】従来の一例として示すゴーグルを、厚い内装・ライナーを有したヘルメットの上から着用した状態の説明図である。
【図１３】従来の他の例として示すゴーグルを厚い内装・ライナーを有したヘルメットの上から着用した状態を示す説明図である。
【図１４】従来のさらに他の例として示すゴーグルの斜視図である。
【図１５】図１４に示すゴーグルを薄い内装・ライナーを有したヘルメットの上から着用した状態の説明図である。
【図１６】図１４に示すゴーグルを厚い内装・ライナーを有したヘルメットの上から着用した状態の説明図である。
【図１７】図１４に示すゴーグルを直接人頭に着用した状態の説明図である。
【符号の説明】
【００４８】
１  レンズフレーム
１ａ  左部
１ｂ  右部
１ｃ  前面
１ｅ  上部
１ｆ  下部
２  装着ベルト
３  連結アーム
３ｂ  内端部
１０  溝部
１１ａ  軸穴
１１ｂ  係止穴
１１ｃ  当て部
１１ｄ  支軸部
１２ａ  支軸部
１２ｂ  係止部
１２ｃ  当たり
１２ｄ  軸穴
Ｓ  隙間
【図１】
2008200265.tif 000003
【図２】
2008200265.tif 000004
【図３】
2008200265.tif 000005
【図４】
2008200265.tif 000006
【図５】
2008200265.tif 000007
【図６】
2008200265.tif 000008
【図７】
2008200265.tif 000009
【図８】
2008200265.tif 000010
【図９】
2008200265.tif 000011
【図１０】
2008200265.tif 000012
【図１１】
2008200265.tif 000013
【図１２】
2008200265.tif 000014
【図１３】
2008200265.tif 000015
【図１４】
2008200265.tif 000016
【図１５】
2008200265.tif 000017
【図１６】
2008200265.tif 000018
【図１７】
2008200265.tif 000019